(57)【要約】【課題】  家事および作業環境のなかに存在している装置に対する情報提供のための方法とこの方法に従って動作する通信装置とを提供する。【解決手段】  情報ディスプレイへのデータ伝達のための方法において、利用者に装置データ１２のデータ全集合２６からデータ部分集合２２が表示され、データ部分集合２２が情報ディスプレイ６の構成に従って中央で探索される。またこの方法により作動する通信装置においては、装置データ１２を表示するための少なくとも１つの情報ディスプレイ６が、少なくとも１つの端末装置４の装置データ１２のデータ全集合２６からデータ部分集合２２を決定するため中央計算ユニット２と結合され、端末装置は装置データ１２を用意するため入力側で中央計算ユニット２と接続されている。【選択図】図１
2006099765.tif 000002
【特許請求の範囲】
【請求項１】
情報ディスプレイへのデータ伝達のための方法において、利用者に装置データ（１２）のデータ全集合（２６）からデータ部分集合（２２）が表示され、その際データ部分集合（２２）が情報ディスプレイ（６）の構成に従って中央で探索されることを特徴とするデータ伝達方法。
【請求項２】
データ部分集合（２２）を決定するため、ディスプレイプロフィル（２０）が情報ディスプレイ（６）における少なくとも１つのディスプレイオプションの利用者固有の入力により作成され、中央計算ユニット（２）の入力側に供給されることを特徴とする請求項１記載の方法。
【請求項３】
情報ディスプレイ（６）において表示される装置データ（１２）を有するデータ部分集合（２２）を決定するため、予め定められた、利用者固有のディスプレイプロフィル（２０）が能動化されることを特徴とする請求項１または２記載の方法。
【請求項４】
情報ディスプレイ（６）において表示される装置データ（１２）を有するデータ部分集合（２２）を決定するため、予め定められた、情報固有のディスプレイプロフィル（２０）が能動化されることを特徴とする請求項１または２記載の方法。
【請求項５】
情報ディスプレイ（６）において表示される装置データ（１２）を有するデータ部分集合（２２）を決定するため、特定の時間間隔に対して予め定められた、時間間隔固有のディスプレイプロフィル（２０）が能動化されることを特徴とする請求項１または２記載の方法。
【請求項６】
情報ディスプレイ（６）を用いてトランスフォーマ原理に従って位置決定が実行され、中央計算ユニット（２）の入力側に位置信号（３８）が、情報ディスプレイ（６）の位置決定を用いて計算された位置を介して供給されることを特徴とする請求項１または２記載の方法。
【請求項７】
情報ディスプレイ（６）に、その位置を特徴付ける中央計算ユニット（２）の相互作用範囲（４０）が対応付けられることを特徴とする請求項６記載の方法。
【請求項８】
相互作用範囲（４０）に基づいて、情報ディスプレイ（６）において表示される装置データ（１２）を有するデータ部分集合（２２）を決定するため、予め定められた位置固有のディスプレイプロフィル（２０）が能動化されることを特徴とする請求項７記載の方法。
【請求項９】
中央計算ユニット（２）がデータ部分集合（２２）をデータ全集合（２６）から各ディスプレイプロフィル（２０）に関係して決定し、データ部分集合（２２）を情報ディスプレイ（６）に供給することを特徴とする請求項２ないし８のいずれか１つに記載の方法。
【請求項１０】
情報ディスプレイ（６）がデータ交換のために中央計算ユニット（２）と無線で通信することを特徴とする請求項２ないし９のいずれか１つに記載の方法。
【請求項１１】
装置データ（１２）が中央で記憶されることを特徴とする請求項１ないし１０のいずれか１つに記載の方法。
【請求項１２】
中央計算ユニット（２）への装置データ（１２）の伝達が無線で行われることを特徴とする請求項２ないし１１のいずれか１つに記載の方法。
【請求項１３】
装置データ（１２）を表示するための少なくとも１つの情報ディスプレイ（６）を有し、この情報ディスプレイは少なくとも１つの端末装置（４）の装置データ（１２）のデータ全集合（２６）からデータ部分集合（２２）を決定するため中央計算ユニット（２）と結合され、端末装置は装置データ（１２）を用意するため入力側で中央計算ユニット（２）と接続されていることを特徴とする通信装置。
【請求項１４】
情報ディスプレイ（６）にディスプレイプロフィル（２０）を作成するため入力装置（１８）が設けられているを特徴とする請求項１３記載の通信装置。
【請求項１５】
情報ディスプレイ（６）に、予め定められた利用者固有のディスプレイプロフィル（２０）を能動化するため、情報ディスプレイ（６）の利用者を認識する識別装置（１６）が設けられていることを特徴とする請求項１３または１４記載の通信装置。
【請求項１６】
情報ディスプレイ（６）に、予め定められた情報固有のディスプレイプロフィル（２０）を能動化するため、情報ディスプレイ（６）を特徴付ける識別特徴の作成のために装置標識のための装置（３２）が設けられていることを特徴とする請求項１３ないし１５のいずれか１つに記載の通信装置。
【請求項１７】
情報ディスプレイ（６）及び中央計算ユニット（２）又はそのいずれか一方に、少なくとも１つの時間間隔に対して予め定められた時間間隔固有のディスプレイプロフィル（２０）を能動化するため時間設定ユニット（２８）が設けられていることを特徴とする請求項１３ないし１６のいずれか１つに記載の通信装置。
【請求項１８】
情報ディスプレイ（６）が、予め定められた位置及び予め定められた端末装置（４）又はそのいずれか一方に取付けられ情報ディスプレイ（６）の位置決定のための少なくとも１つのトランスポンダ（３６）と結合可能である読取り装置（３４）を有することを特徴とする請求項１３ないし１７のいずれか１つに記載の通信装置。
【請求項１９】
情報ディスプレイ（６）が予め定められた位置固有のディスプレイプロフィル（２０）を能動化するためトランスポンダ（３６）の相互作用範囲（４０）に対応付けられていることを特徴とする請求項１８記載の通信装置。
【請求項２０】
データ全集合（２６）からデータ部分集合（２２）を決定するために能動化されるディスプレイプロフィル（２０）が中央計算ユニット（２）に設けられているプロフィルメモリ（８）に格納されていることを特徴とする請求項１４ないし１９のいずれか１つに記載の通信装置。
【請求項２１】
装置データ（１２）が中央計算ユニット（２）の装置データメモリ（１６）に格納されていることを特徴とする請求項１３ないし２０のいずれか１つに記載の通信装置。
【請求項２２】
プロフィルメモリ（８）が、装置データ（１２）のデータ全集合（２６）からデータ部分集合（２２）を編成するため装置データメモリ（１０）と結合されていることを特徴とする請求項２記載の通信装置。
【請求項２３】
情報ディスプレイ（６）および中央計算ユニット（２）ならびに端末装置（４）における無線のデータ伝達のために送信・受信装置（４８）が設けられていることを特徴とする請求項１３ないし２２のいずれか１つに記載の通信装置。
【発明の詳細な説明】
【技術分野】
【０００１】
本発明は、情報ディスプレイにデータを伝達するための方法に関するものである。さらに本発明はこの方法に従って動作する通信装置に関するものである。
【背景技術】
【０００２】
このような通信装置はいわゆる“Smart Home"テクノロジーの分野に使用され、また家事および娯楽装置をネット化し、またネットワークを介して遠隔制御するのに利用される。そのために、利用者に相応の装置の制御、操作および監視のための情報を正しい時点で、また正しい場所において提供し、また加えてこれらを分かりやすい形態で表示することが必要である。
【０００３】
利用者にこのような情報を提供するための１つの可能性は、装置の機能を記述する手引書の利用にある。その際に通常多数の手引書を相応の数の装置に対して用意しておくことは利用者にとって費用がかかり、従って望ましくない。加えて利用者は一方では通常手引書を持ち合わせていないし、他方では各装置の機能のうちしばしば比較的わずかな機能しか知っていないので、利用者にとって現場でしばしば装置の機能のごく限られた使用しか可能でない。
【発明の開示】
【発明が解決しようとする課題】
【０００４】
本発明の課題は、家事および作業環境のなかに存在している装置に対する情報提供のための方法とこの方法に従って動作する通信装置とを提供することである。
【課題を解決するための手段】
【０００５】
方法に関しては前記の課題は本発明によれば請求項１の特徴により解決される。本方法はその際に、利用者に装置データのデータ全集合から、情報ディスプレイの構成に従って中央で探索されるデータ部分集合を表示するため、情報ディスプレイへのデータ伝達を含んでいる。特に情報ディスプレイ自体におけるコンフィギュレーションは、たとえばタッチパッドを介して、またはそれに無関係に移動電話（ハンディ）を用いてまたは分離したキーボードを介して行われる。
【０００６】
本方法の有利な実施形態は請求項１に従属する請求項の対象である。
【０００７】
通信装置に関しては前記の課題は本発明によれば請求項１３の特徴により解決される。それによれば通信装置は装置データを表示するため少なくとも１つの情報ディスプレイを含み、その情報ディスプレイは少なくとも１つの端末装置の装置データのデータ全集合からデータ部分集合を決定するため中央計算ユニットと結合されている。その際装置データを用意するため端末装置は入力側で中央計算ユニットと接続されている。
【発明を実施するための最良の形態】
【０００８】
目的にかなった実施形態では、情報ディスプレイに入力装置が設けられており、それを介して利用者がデータ部分集合を決定するためディスプレイプロフィルを指定することができる。その際に情報ディスプレイにおいて特定のディスプレイオプションが予め定められており、それらから利用者がデータ部分集合を作成するために選択することができる。またディスプレイプロフィルの入力及びディスプレイオプションの選択又はそのいずれか一方は例えばマイクロフォンとして構成されている入力装置を介して音声制御により、またはキーボードとして構成されている入力装置を介して直接の入力により行われる得る。情報ディスプレイにおいて作成されたディスプレイプロフィルは中央計算ユニットに供給され、そのなかに記憶される。
【０００９】
有利な実施形態では、情報ディスプレイに識別装置が設けられている。これは情報ディスプレイを操作する利用者を認識するのに用いられる。情報ディスプレイは中央計算ユニットに、情報ディスプレイにおいて識別装置を介して認識された利用者に相応するディスプレイプロフィルを能動化するための信号を供給する。いわゆる利用者固有のディスプレイプロフィルの能動化の結果として、中央計算ユニットはデータ全集合から必要な装置データを取り出し、これらを利用者固有のデータ部分集合として編成する。これは利用者が位置している情報ディスプレイに供給される。
【００１０】
別の目的にかなった実施形態では、情報ディスプレイに装置標識のための装置が設けられている。これは、情報ディスプレイに識別特徴、たとえば識別番号、を割当てるのに用いられる。中央計算ユニットのなかで情報固有のディスプレイプロフィルが、情報ディスプレイを特徴付ける識別特徴に相応して能動化される。中央計算ユニットは情報固有のディスプレイプロフィルに基づいて装置データを有するディスプレイ固有のデータ部分集合を作成し、データ部分集合を情報ディスプレイに供給する。
【００１１】
特に好ましい変形形態では、情報ディスプレイに、たとえば時計として構成されている時間設定装置が設けられている。複数の情報ディスプレイが中央計算ユニットと通信するならば、時間設定装置を、個々の情報ディスプレイのなかに集積する代わりに、中央計算ユニットのなかに集積することは目的にかなっている。この時間設定装置を用いて、種々の装置データを有するデータ部分集合を相異なる時間間隔で情報ディスプレイに表示することが可能である。このことは、利用者に特定の時間に他の時間とは異なる装置データを情報ディスプレイに与えるのに用いられる。そのために中央計算ユニットにおいて時間設定装置に基づいて時間間隔固有のディスプレイプロフィルが能動化される。能動化はたとえば、時間設定装置から時間間隔限界の通過の際に発せられる信号により行われる。時間間隔固有のディスプレイプロフィルに基づいて中央計算ユニットが装置データを有する時間間隔固有のデータ部分集合を作成し、またこれらを情報ディスプレイに供給する。
【００１２】
さらに通信装置は好ましくは、個々の情報ディスプレイの位置決定を可能にする位置決定のための装置を設けられている。そのために情報ディスプレイは、読取りおよび書込みユニットとして構成されている読取り装置を設けられていてよい。読取り装置は、適切な場所、たとえば複数の端末装置を有する空間に、及び端末装置に直接に、又はそのいずれか一方に取付けられているトランスポンダと通信する。情報ディスプレイの位置決定のために、これから電気エネルギーを供給される読取り装置は、簡単な仕方で受動的な構成部分として構成されていてよいトランスポンダと通信する。
【００１３】
読取り装置を有する情報ディスプレイがトランスポンダに対して十分な統括距離に位置するならば、読取り装置と弱く結合されているトランスポンダはその位置に関する信号を読取り装置に送る。この信号は情報ディスプレイを介して目的にかなった仕方でさらに中央計算ユニットに伝達される。それに基づいて中央計算ユニットは情報ディスプレイを、中央計算ユニットがその信号を受け取った特定の相互作用範囲に対応付ける。特定の相互作用範囲への情報ディスプレイの対応付けは、予めこの相互作用範囲に割当てられているトランスポンダの位置信号に関係している。たとえば同一の空間に位置するトランスポンダは、情報ディスプレイが、それがまさにこの空間に位置する場合に対応付けられる相互作用範囲に割当てられている。
【００１４】
それに続いて中央計算ユニットにおいて、相互作用範囲に対して予め定められた位置固有のディスプレイプロフィルが能動化される。このディスプレイプロフィルに基づいて中央計算ユニットが再び装置データをデータ全集合から取り出し、また取り出された装置データを位置固有のデータ部分集合に編成する。位置固有のデータ部分集合は当該の情報ディスプレイにそのなかに含まれている装置データを表示するために供給される。
【００１５】
目的にかなった実施形態では、中央計算ユニットならびに情報ディスプレイに送信・受信装置が設けられている。送信・受信装置は中央計算ユニットと情報ディスプレイとの間の無線通信に用いられる。それにより有利な仕方で、通信装置の所在地の移動が可能である。さらに中央計算ユニットと情報ディスプレイとの間の無線通信は、電気エネルギーの供給のためのケーブルに追加してデータ伝達のための他のケーブルを必要としない点で、特にコスト節減に有効である。個々の端末装置から中央計算ユニットへ装置データを無線伝送するため、また端末装置を制御するために中央計算ユニットとデータ交換するため、これらは同じく送信・受信装置を設けられている。それによって通信装置は所在地に無関係であり、また特に問題なく１つの所在地から他の所在地へ移動可能である。
【００１６】
有利な実施形態によれば、中央計算ユニットと通信する端末装置の装置データは中央計算ユニットのなかに設けられている装置データメモリに格納されている。この実施形態は、ディスプレイプロフィルに基づいて装置データメモリに格納されているデータ全集合からデータ部分集合を、特に時間を節減して編成するのに用いられる。
【００１７】
さらに、ディスプレイプロフィルを中央計算ユニットのなかに設けられているプロフィルメモリに格納することは目的にかなっている。特に時間を節減し得るデータアクセスのために、プロフィルメモリは装置データメモリと結合されている。
【００１８】
本発明により達成される利点は特に、装置データを編成するため通信装置に対して個々に設けられている個々のディスプレイプロフィルの構成が情報ディスプレイにおける入力装置を介して行われ得ることにある。通信装置に複数の情報ディスプレイが設けられているならば、利用者は各情報ディスプレイにおいて存在している識別装置により、その利用者に対して予定されている、装置データを有するシナリオを呼出すことができる。識別装置により利用者固有のデータ部分集合の供給が自動的に、利用者により操作される情報ディスプレイにおいて行われる。
【００１９】
さらに、時間間隔固有のディスプレイプロフィルにより、情報ディスプレイに相異なる時間間隔で、たとえば相異なる時刻で、種々のデータ部分集合の間の変更をすることが可能である。
【００２０】
さらに、情報ディスプレイにおける装置データの表示は光学的または音響的に行われ得る。そのために情報ディスプレイはたとえばモニタまたはスピーカを設けられていてよい。利用者による１つの情報ディスプレイまたは複数の情報ディスプレイの構成のために、情報ディスプレイはさらに好ましくは、入力装置がタッチパッドとして像スクリーンに組み込まれており、従ってまたこれがタッチスクリーンとして動作するように構成されている。
【００２１】
さらに、情報ディスプレイの位置決定可能性により、相異なる場所でまた相異なる端末装置のすぐ近くで情報ディスプレイを操作し、またその際に常に、情報ディスプレイのすぐ近くに位置している端末装置に対する装置データを得る可能性が与えられている。
【００２２】
さらに、中央計算ユニットのなかのプロフィルメモリおよび装置データメモリを有する２メモリシステムにより、情報ディスプレイに対して必要な装置データの特に時間を節減し得る編成が達成される。
【実施例】
【００２３】
以下に本発明の１つの実施例を図面により詳細に説明する。図面には本発明による通信装置のブロック回路図が示されている。
【００２４】
通信装置１は中央計算ユニット２と、中央計算ユニット２と通信する１つまたは複数の端末装置４と、少なくとも１つの情報ディスプレイ６とを含んでいる。中央計算ユニット２はさらに２つのメモリ、すなわちプロフィルメモリ８および装置データメモリ１０、を含んでいる。情報ディスプレイ６は好ましくは光学的及び音響的又はそのいずれか一方のディスプレイとして構成されている。
【００２５】
通信装置１は端末装置４の装置データ１２を情報ディスプレイ６に表示する。装置データ１２が端末装置４の状態データ叉は測定データのような情報を含んでいるならば、これらの情報は光学的にモニタ１４により情報ディスプレイ６に表示される。装置データ１２がたとえば警報信号であれば、これらは好ましくは情報ディスプレイ６に設けられているスピーカ１６を介して音響的に発せられ得る。
【００２６】
さらに、通信装置１は情報ディスプレイ６に設けられている入力装置１８を含んでおり、それを介して利用者がディスプレイプロフィル２０を与え得る。その際にディスプレイプロフィル２０は、中央計算ユニット２から情報ディスプレイ６に表示するために送られる装置データ１２を含んでいるデータ部分集合２２を決定するための詳細を含んでいる。
【００２７】
利用者により作成されたディスプレイプロフィル２０はデータ接続２４を経て中央計算ユニット２に供給され、またこれにより記憶される。利用者による入力はキーボードとして構成されている入力装置により直接に行われ得る。代替的に入力は音声制御されてマイクロフォンとして構成されている入力装置１８を介して行われる。目的にかなった仕方でデータ部分集合２２の装置データを指示するモニタ１４はタッチパッドを設けられており、こうしてタッチスクリーンとして構成され、付加の入力装置の代りとなる。
【００２８】
さらに、情報ディスプレイ６に設けられているキーボードとして構成されていてよい入力装置１８、ないし利用者のタッチスクリーン１４は、データ全集合２６からデータ部分集合２２に対する望まれる編成を入力するために用いられる。利用者による入力は代替的にマイクロフォン１６を介して音響的にも行われ得る。情報ディスプレイ６に利用者の同定により供給され、また各利用者に対する予め定められたシナリオとみなすべき、利用者又は人固有の予め決定されているデータ部分集合２２と対照的に、利用者固有に編成されたデータ部分集合２２はデータ全集合２６から望まれる装置データ１２を選択するための利用者の入力に基づいている。
【００２９】
情報ディスプレイ６に装置データ１２のデータ全集合２６からデータ部分集合２２を時間に関係して表示するため、すなわち時間間隔固有のデータ部分集合２２を表示するため、中央計算ユニット２は、目的にかなった仕方でクロックとして構成されている時間設定装置２８を含んでいる。
【００３０】
情報ディスプレイ６に、利用者に対して予め決定されている利用者固有のデータ部分集合２２を提供するため、情報ディスプレイ６は利用者を識別するための識別装置３０を有する。識別装置３０は好ましくは、利用者を音声認識により識別するためマイクロフォンとして構成されている。代替的に識別装置３０は利用者をその指圧力を介して識別するためタッチパッドとして構成されている。利用者を識別するための別の代替例として、これは情報ディスプレイ６に設けられている入力装置１８を介しての利用者固有のＰＩＮコードの入力により行われ得る。
【００３１】
通信装置１が複数の情報ディスプレイ６を含んでいるならば、各個々の情報ディスプレイ６に目的にかなった仕方で、各情報ディスプレイ６に対して識別特徴を決定する装置標識のための装置３２が設けられている。それによって、情報ディスプレイ６に、これに対して予定されている情報固有のデータ部分集合２２を各情報ディスプレイ６の識別特徴に基づいて割当てることが可能である。
【００３２】
情報ディスプレイ６に、情報ディスプレイ６のすぐ近くに位置している端末装置４の装置データ１２を表示するため、情報ディスプレイ６にその位置決定のための装置が設けられている。位置決定はトランスフォーマ原理に基づいている。それによれば位置決定のための装置は、情報ディスプレイ６に取付けられ書込み及び読出しステーションとしての役割をする読取り装置３４と、トランスミッタおよびレスポンダとしての役割をするトランスポンダ３６とを含んでいる。読取り装置３４は、適切な場所、たとえば複数の端末装置４を有する空間に、及び端末装置４に直接に、又はそのいずれか一方に取付けられているトランスポンダ３６と通信する。情報ディスプレイ６の位置決定のため、これから電気エネルギーを供給される読取り装置３４は、受動的な構成部分として構成されているトランスポンダ３６と通信する。
【００３３】
読取り装置３４を有する情報ディスプレイ６がトランスポンダ３６に対して十分な到達距離に位置しているならば、読取り装置３４と緩く結合されているトランスポンダ３６はその位置に関する位置信号３８を読取り装置３４に送る。位置信号３８は情報ディスプレイ６を介して目的にかなった仕方で中央計算ユニット２に伝達される。それに基づいて中央計算ユニット２が、それが位置信号３８を受けている情報ディスプレイ６を特定の相互作用範囲４０に対応付ける。相互作用範囲４０への情報ディスプレイ６の対応付けは、前もってこの相互作用範囲４０に割当られているトランスポンダ３６の位置信号３８に関係している。たとえば同一の空間のなかに位置しているトランスポンダ３６は、情報ディスプレイ６がまさにこの空間のなかに位置している場合に情報ディスプレイ６が対応付けられる相互作用範囲４０に割当られている。
【００３４】
情報ディスプレイ６に対するデータ部分集合２２を編成するため、中央計算ユニット２のプロフィルメモリ８のなかに、データ部分集合２２の範囲および詳細を記述するディスプレイプロフィル２０が格納されている。ディスプレイプロフィル２０に関係して中央計算ユニット２が、装置データメモリ１０に格納されているデータ全集合２６からデータ部分集合２２に対して特定の装置データ１２を取り出す。データ全集合２６の装置データ１２への特に迅速なアクセスのために、中央計算ユニット２が通信装置１のなかで通信する端末装置４の装置データ１２が装置データメモリ１０に格納されている。
【００３５】
目的にかなった仕方で端末装置４から中央計算ユニット２への装置データ１２の伝達は無線通信によりデータ信号４２を介して行われる。データ部分集合２２に対して予定されている装置データ１２を装置データメモリ１０から取り出すため、このメモリはプロフィルメモリ８と通信接続４４を介して結合されている。この通信接続を介して中央計算ユニット２がプロフィルメモリ８のなかに格納されているディスプレイプロフィル２０に基づいて装置データメモリ１０からの特定の装置データ１２に対応付ける。
【００３６】
利用者により作成され、装置データ１２を含んでいるデータ部分集合２２を有するディスプレイ２０がプロフィルメモリ８のなかに格納されていると、ディスプレイプロフィル２０がデータ部分集合２２を作成するために能動化され得る。能動化は、情報ディスプレイ６から中央計算ユニット２に送られる能動化信号４６を介して行われる。この能動化信号４６は一方では情報ディスプレイ６の位置決定に基づいており、またこれに関する位置固有のディスプレイプロフィル２０を能動化し得る。従って情報ディスプレイ６に装置データ１２を有するデータ部分集合２２が、情報ディスプレイ６のすぐ近くに位置している端末装置４からデータ接続２４を経て供給される。
【００３７】
代替的に、能動化信号４６を介して、利用者を標識する利用者固有のディスプレイプロフィル２０が能動化され得る。さらに、時間に関係して時間間隔固有のディスプレイプロフィル２０を能動化することが可能であり、それによって情報ディスプレイ６に前もって決定された時間間隔に対して装置データ１２が提供される。さらに、情報ディスプレイ固有のディスプレイプロフィル２０の能動化が可能である。これは情報ディスプレイ６の装置標識装置３２により作成された識別特徴により能動化される。その結果、各情報ディスプレイ６を特徴付ける情報ディスプレイ固有のディスプレイプロフィル２０が呼出され、また情報ディスプレイ固有のディスプレイプロフィル２０に基づいて選択される装置データ２が情報ディスプレイ６に伝達される。
【００３８】
通信装置１をフレキシブルにかつ設置場所に無関係に構成するため、中央計算ユニット２と情報ディスプレイ６との間ならびに中央計算ユニット２と端末装置４との間の通信は無線で行われる。そのために情報ディスプレイ６にまた中央計算ユニット２にならびに各端末装置４にそれぞれ送信・受信装置４８が設けられている。
【図面の簡単な説明】
【００３９】
【図１】本発明による通信装置のブロック回路図である。
【符号の説明】
【００４０】
１  通信装置
２  中央計算ユニット
４  端末装置
６  情報ディスプレイ
８  プロフィルメモリ
１０  装置データメモリ
１２  装置データ
１４  モニタ
１６  スピーカ
１８  入力装置
２０  ディスプレイプロフィル
２２  データ部分集合
２６  データ全集合
２８  時間設定装置
３０  識別装置
３２  装置標識のための装置
３４  読取り装置
３６  トランスポンダ
３８  位置信号
４０  相互作用範囲
４６  能動化信号
４８  送信・受信装置
【図１】
2006099765.tif 000003